(57)【要約】【課題】  開閉のための十分な駆動力を得ることができ、且つ、減速機構を含む構造で、小型・高密度化された携帯電話機に組み込むことが可能となるスライド開閉機構を提供する。【解決手段】  前面にキーパッドが設けられた下筐体と、前面にメインディスプレイが設けられた上筐体と、前記下筐体と前記上筐体がスライド開閉するための機構を備える携帯情報端末装置において、前記下筐体と前記上筐体のいずれかに、ラックを備え、その他方の筐体に、小型モータを動力源とする駆動ユニットを備え、前記駆動ユニット出力軸は前記小型モータの出力軸に対し略垂直方向に配置することを特徴とする。【選択図】    図３
2006304155.tif 000002
【特許請求の範囲】
【請求項１】
前面にキーパッドが設けられた下筐体と、前面にメインディスプレイが設けられた上筐体と、前記下筐体と前記上筐体がスライド開閉するための機構を備え、前記下筐体と前記上筐体のいずれかに、ラックを備え、その他方の筐体に、小型モータを動力源とする駆動ユニットを備える携帯情報端末装置において、
前記駆動ユニット出力軸は前記小型モータの出力軸に対し略垂直方向に配置することを特徴とする携帯情報端末装置。
【請求項２】
請求項１記載の携帯情報端末装置において、
前記駆動ユニットは、小型モータ、ウォームギヤ、ホイール、ピニオンギヤから構成されることを特徴とする携帯情報端末装置。
【請求項３】
請求項１乃至請求項２記載の携帯情報端末装置において、
前記ラックを、携帯情報端末装置の全開時に、前記下筐体と前記上筐体の重なる範囲に配置することを特徴とする携帯情報端末装置。
【発明の詳細な説明】
【技術分野】
【０００１】
本発明は、携帯情報端末装置の開閉機構に関するものであり、携帯電話機及びＰＨＳ（Personal Handy Phone System）及びＰＤＡ（Personal Digital Assistant）等を含む。詳しくは、携帯情報端末装置の上筐体と下筐体とが組み合わされるスライド開閉機構に関する。
【背景技術】
【０００２】
従来の携帯電話機の開閉機構としては、折り畳み式、リボルバー式、スライド式などが多く見受けられる。しかしながら、これらのほとんどが手動式である。
【０００３】
近年、このような携帯電話機の開閉機構において、その開閉を自動で行う機構が考えられている。その一例として、以下に示すような機構が提案されている。
【０００４】
図６に示すように、筐体が上筐体と下筐体とに２分割されており、下筐体の上面に上筐体の下面を重ねて一体化されて構成されている移動体通信端末装置において、コイル等で構成して通電することで電磁石となる上導体を上筐体の内部に一体的に設置するとともにに、２つ以上のコイルで構成して通電することでコイルごとに磁極を変更可能な電磁石となる下導体を下筐体の内部に一体的に設置する。これにより、極く簡単な構成でありながら、筐体の自動スライド動作を行うように構成するものが提案されている（特許文献１）。
【０００５】
また、図７に示すように、下部筐体には無線送受信回路部、アンテナと電池部、文字入力キー部、下部筐体回路基板部を配し、上部筐体には、レシーバ、マイクロフォン、表示部、機能操作キー部、上部筐体回路基板部を配し、下部筐体回路基板部と上部筐体回路基板部との間に接続ＦＰＣを配置する携帯電話機において、上部筐体に設けられたギヤラック部と下部筐体に設けられたモータ駆動部から構成される開閉機構を設けるものが提案されている（特許文献２）。
【特許文献１】特開２００３−３４８２０４
【特許文献２】特開２００４−２２２１４５
【発明の開示】
【発明が解決しようとする課題】
【０００６】
しかしながら、特許文献１で示すような開閉機構、つまり、電磁石を応用したリニア方式において、開閉のための駆動力を十分に得るためには、その開閉機構のサイズが大きくなってしまい、小型・高密度化された携帯電話機には搭載が難しい。
【０００７】
また、特許文献２で示すような開閉機構では、その動力源として小型モータを使用する際に、その出力を直接伝達するわけにはいかず、減速機構が必要となる。この場合、減速機構を含む構造とすると、小型・高密度化された携帯電話機にはサイズが大きくなってしまい、搭載が難しい。
【０００８】
また、上記特許文献２における開閉機構では、その開閉時に、ラックやピニオンギヤが筐体外にむき出しになってしまい、ゴミ、埃などの進入が考えられる。このスライド部にそのような異物の進入があると、噛み合いに不具合を生じてしまう可能性がある。
【０００９】
よって、開閉のための十分な駆動力を得ることができ、且つ、減速機構を含む構造で、小型・高密度化された携帯電話機に組み込むことが可能となるスライド開閉機構が必要となる。
【００１０】
そこで、本発明の目的は、電動および手動で容易に開閉可能な機構を有し、その減速比を十分に確保し、スライド部にゴミ、埃などの進入を防ぐことのできるスライド開閉機構を有する携帯情報端末装置を提供することである。
【課題を解決するための手段】
【００１１】
請求項１記載の発明は、前面にキーパッドが設けられた下筐体と、前面にメインディスプレイが設けられた上筐体と、前記下筐体と前記上筐体がスライド開閉するための機構を備え、前記下筐体と前記上筐体のいずれかに、ラックを備え、その他方の筐体に、小型モータを動力源とする駆動ユニットを備える携帯情報端末装置において、前記駆動ユニット出力軸は前記小型モータの出力軸に対し略垂直方向に配置することを特徴とする携帯情報端末装置である。
【００１２】
請求項２記載の発明は、請求項１記載の携帯情報端末装置において、前記駆動ユニットは、小型モータ、ウォームギヤ、ホイール、ピニオンギヤから構成されることを特徴とする携帯情報端末装置である。
【００１３】
請求項３記載の発明は、請求項１乃至請求項２記載の携帯情報端末装置において、前記ラックを、携帯情報端末装置の全開時に、前記下筐体と前記上筐体の重なる範囲に配置することを特徴とする携帯情報端末装置である。
【発明の効果】
【００１４】
本発明によれば、前記駆動ユニット出力軸を前記小型モータの出力軸に対し略垂直方向に配置し、ウォームギヤとホイールにて、動力を伝達するため、スライド開閉に必要な減速比を十分に確保し、その機構の小型化が可能となる。
【００１５】
且つ、その機構はウォームギヤ、ホイールの２点のみから構成されるため、部品点数を削減でき、また、減速機構を含む構造で、小型・高密度化された携帯電話機に組み込むことが可能となるスライド開閉機構を構成することが可能となる。
【発明を実施するための最良の形態】
【００１６】
以下、本発明を実施するための最良の一形態について説明する。図１は、本実施形態の携帯電話機の外観構造を示すものであり、（ａ）の状態で全閉、（ｂ）の状態で全開となる。
【００１７】
本実施形態の携帯電話機１は、下筐体２と上筐体３とから構成される。下筐体２の前面４には、各種の操作キーから構成されるキーパッド５と、送話用マイク６とが設けられている。上筐体３の前面７には、液晶パネル等からなるメインディスプレイ８と、受話用スピーカー９とが設けられている。
【００１８】
次に、本発明のスライダー開閉機構の動作を説明する。図２は本発明における、スライダー開閉機構の駆動部を模式的に示したものである。このスライダー開閉機構のラック１０を上筐体３に、駆動ユニット１１を下筐体２に配置する。
【００１９】
前記駆動ユニット１１のＡ−Ａ断面を図３（ａ）、Ｂ−Ｂ断面を図３（ｂ）に示す。図３（ａ）、（ｂ）で示すように、前記駆動ユニット１１は、小型モータ１２、ウォームギヤ１３、ホイール１４、スリップシャフト１５、ワッシャー１６、コイルバネ１７、ライナー１８、軸受１９、ユニットケース２０からなる。
【００２０】
この時、前記小型モータ１２のモータ出力軸２２に前記ウォームギヤ１３を固定し、駆動ユニット出力軸２３に固定される前記ホイール１４と噛み合うように配置する。この前記モータ出力軸２２と前記駆動ユニット出力軸２３は略垂直となるように配置される。
【００２１】
上記モータ出力軸２２と駆動ユニット出力軸２３の位置関係の模式斜視図を図４に示す。これによると、小型モータ出力軸２２に対し駆動ユニット出力軸２３が略垂直方向に配置されているのがわかる。このとき、例えば、小型モータ１２の直径を約６ｍｍ、ウォームギヤ１３、ホイール１４の直径をそれぞれ約２．８ｍｍ、５ｍｍとし、そのモジュールを０．１５とすると、約３０倍もの減速比を得ることができる。よって、特許文献２で示されるような開閉機構と比較し、一段で高減速が可能な開閉機構を構成できる。
【００２２】
次に、前記駆動ユニット出力軸２３は、その出力側にピニオンギヤ２４を備え、ユニットケース２０に備えられる軸受１９で支持され、前記ライナー１８を介し、前記ユニットケース２０に固定される。また、前記駆動ユニット出力軸２３には、前記ユニットケース２０内で、前記スリップシャフト１５が圧入固定され、更にその細径部に前記ホイール１４、前記ワッシャー１６、前記コイルバネ１７が配置され、前記ストッパー２１で固定される。
【００２３】
前記ストッパー２１の固定位置、前記ワッシャー１６の枚数、及び前記コイルバネ１７の弾性力により、前記ホイール１４の固定強度が設定される。これにより、本発明のスライダー開閉機構における、手動開閉時のクラッチ機構が得られる。また、前記ホイール１４はヘリカルギヤでも良い。
【００２４】
また、図３（ｂ）で示すように、前記モータ出力軸２２の先端部をＲ形状とし、前記ユニットケース２０にスラスト軸受部２５を設け、前記モータ出力軸２２のスラスト方向にかかる負荷を点接触にて受けることにより、摺動摩擦を低減できる。
【００２５】
また、図５は、本実施形態の携帯電話機のスライダー開閉機構の断面を示すものであり、（ａ）の状態で全閉、（ｂ）の状態で全開となる。この開閉動作によっても、常時、上筐体と下筐体が重なり合う位置に、本発明のスライダー開閉機構を配置する。これにより、前記上筐体のラック配置部からのゴミ、埃の進入による噛み合いの不具合を防ぐことが可能となる。
【００２６】
ラックやピニオンギヤが筐体外にむき出しにならないので、携帯電話機１の外観が見た目にすっきりしていて、美観的にも優れているといえる。
【００２７】
なお、ここまで本発明の携帯情報端末装置を携帯電話機１に適用した例について説明したが、本発明の携帯情報端末装置は、携帯電話機への適用に限定されるものではなく、ＰＨＳ、ＰＤＡなど、様々なタイプの携帯情報端末装置に適用することができる。
【図面の簡単な説明】
【００２８】
【図１】本発明の一実施形態の携帯電話機の外観構造を示すもので、（ａ）は閉じた状態の斜視図、（ｂ）は開いた状態の斜視図である。
【図２】本発明における、スライダー開閉機構駆動部の模式斜視図である。
【図３】図２におけるＡ-Ａ断面図を（ａ）、Ｂ-Ｂ断面図を（ｂ）で示したものである。
【図４】本発明における、モータ出力軸と駆動ユニット出力軸の位置関係を表す模式斜視図である。
【図５】本実施形態の携帯電話機のスライダー開閉機構の断面を示すもので、（ａ）は閉じた状態の断面図、（ｂ）は開いた状態の断面図である。
【図６】特許文献１における従来例を表す斜視図である。
【図７】特許文献２における従来例を表す斜視図である。
【符号の説明】
【００２９】
１  携帯電話機
２  下筐体
３  上筐体
４  下筐体前面
５  キーパッド
６  送話用マイク
７  上筐体前面
８  メインディスプレイ
９  受話用スピーカー
１０  ラック
１１  駆動ユニット
１２  小型モータ
１３  ウォームギヤ
１４  ホイール
１５  スリップシャフト
１６  ワッシャー
１７  コイルバネ
１８  ライナー
１９  軸受
２０  ユニットケース
２１  ストッパー
２２  モータ出力軸
２３  駆動ユニット出力軸
２４  ピニオンギヤ
２５  スラスト軸受部
【図１】
2006304155.tif 000003
【図２】
2006304155.tif 000004
【図３】
2006304155.tif 000005
【図４】
2006304155.tif 000006
【図５】
2006304155.tif 000007
【図６】
2006304155.tif 000008
【図７】
2006304155.tif 000009
【手続補正書】
【提出日】平成18年4月4日(2006.4.4)
【手続補正１】
【補正対象書類名】図面
【補正対象項目名】図３
【補正方法】変更
【補正の内容】
【図３】
2006304155.tif 000010